(57)【要約】【課題】  オーディオマルチチャンネルの設定のみを所望の初期値に容易に設定することができるようにする。【解決手段】  オーディオマルチチャンネルの初期化が指令されたとき、オーディオマルチチャンネルの初期化選択画面を表示し、表示されたオーディオマルチチャンネルの初期化選択画面の初期値が選択されたとき、オーディオマルチチャンネルの設定を選択された初期値に設定するようにする。【選択図】        図１
2006025320.tif 000002
【特許請求の範囲】
【請求項１】
マルチメディア情報を記録媒体に記録再生し、オーディオマルチチャンネルの設定に基づいてマルチメディア情報のオーディオデータを出力する記録再生装置であって、
リモコン装置の所定の操作キーを所定時間継続して押下することによりオーディオマルチチャンネルの初期化を指令する指令手段と、オーディオマルチチャンネルの初期化選択画面を表示する表示手段と、前記表示手段により表示されたオーディオマルチチャンネルの初期化画面の表示時間を計時するタイマ手段と、前記表示手段により表示されたオーディオマルチチャンネルの初期化選択画面の初期値を選択する選択手段と、オーディオマルチチャンネルの設定を前記選択手段により選択された初期値に設定する設定手段とを備え、
オーディオマルチチャンネルの初期化が指令されたとき、オーディオマルチチャンネルの初期化選択画面を表示し、オーディオマルチチャンネルの初期化選択画面の表示時間が所定時間経過するまでに、表示されたオーディオマルチチャンネルの初期化選択画面のシステム初期値又はユーザ初期値のいずれかが選択されたとき、オーディオマルチチャンネルの設定を選択されたシステム初期値又はユーザ初期値に設定し、オーディオマルチチャンネルの初期化選択画面の表示時間が所定時間経過したとき、オーディオマルチチャンネルの設定をシステム初期値に設定するようにしたことを特徴とする記録再生装置。
【請求項２】
マルチメディア情報を記録媒体に記録再生し、オーディオマルチチャンネルの設定に基づいてマルチメディア情報のオーディオデータを出力する記録再生装置であって、
オーディオマルチチャンネルの初期化を指令する指令手段と、オーディオマルチチャンネルの初期化選択画面を表示する表示手段と、前記表示手段により表示されたオーディオマルチチャンネルの初期化選択画面の初期値を選択する選択手段と、オーディオマルチチャンネルの設定を前記選択手段により選択された初期値に設定する設定手段とを備え、
オーディオマルチチャンネルの初期化が指令されたとき、オーディオマルチチャンネルの初期化選択画面を表示し、表示されたオーディオマルチチャンネルの初期化選択画面の初期値が選択されたとき、オーディオマルチチャンネルの設定を選択された初期値に設定するようにしたことを特徴とする記録再生装置。
【請求項３】
前記設定手段は、前記選択手段により前記オーディオマルチチャンネルの初期化選択画面のシステム初期値が選択されたとき、オーディオマルチチャンネルの設定をシステム初期値に設定する設定手段であることを特徴とする請求項２記載の記録再生装置。
【請求項４】
前記設定手段は、前記選択手段により前記オーディオマルチチャンネルの初期化選択画面のユーザ初期値が選択されたとき、オーディオマルチチャンネルの設定をユーザ初期値に設定する設定手段であることを特徴とする請求項２記載の記録再生装置。
【請求項５】
前記指令手段は、リモコン装置の所定の操作キーを所定時間継続して押下することによりオーディオマルチチャンネルの初期化を指令する指令手段であることを特徴とする請求項２記載の記録再生装置。
【請求項６】
前記表示手段により表示されたオーディオマルチチャンネルの初期化画面の表示時間を計時するタイマ手段を更に備え、
オーディオマルチチャンネルの初期化選択画面の表示時間が所定時間経過したとき、オーディオマルチチャンネルの設定をシステム初期値に設定するようにしたことを特徴とする請求項２記載の記録再生装置。
【発明の詳細な説明】
【技術分野】
【０００１】
本発明は、マルチメディア情報を記録媒体に記録再生し、オーディオマルチチャンネルの設定に基づいてマルチメディア情報のオーディオデータを出力する記録再生装置に係り、特にオーディオマルチチャンネルの設定を所望の初期値に容易に設定することができる記録再生装置に関する。
【背景技術】
【０００２】
マルチメディア情報を記録媒体に記録再生し、オーディオマルチチャンネルの設定に基づいてマルチメディア情報のオーディオデータを出力する記録再生装置のオーディオマルチチャンネルの設定は、アナログ出力チャンネル数、接続スピーカ、バランス、ディレータイム、距離等の設定を各チャンネル毎、各項目毎にそれぞれ設定することができるようになっている。そのため、オーディオマルチチャンネルの設定を所望の初期値に設定したい場合、オーディオマルチチャンネルの設定を各チャンネル毎にそれぞれ変更しなければならないという煩わしい問題点があった。
背景技術としては、各チャンネルのマルチチャンネル入力データをマトリックス処理して、マルチチャンネル入力データの出力スピーカポジションへの振り分け、レベル調整、ダウンミックス処理、ダウンミックスを解く処理を行うようにしたものがあった（例えば、特許文献１参照）。
また、光学的にマルチメディア情報をチャンネル毎に分離可能にコード化されたコードパターンを読み取って元のメディア情報を復元し、復元されたメディア情報に基づいて元のメディア情報を出力するようにしたものがあった（例えば、特許文献２参照）。
また、ザッピング時にユーザがチャンネルを選択して記憶し、２回目以降のザッピング時に記憶されたチャンネル中から所望のチャンネルを選択するようにして、一定時間経過したときにチャンネルの選択を初期化するようにしたものがあった（例えば、特許文献３参照）。
【特許文献１】特開平１１−２２５３９０号公報
【特許文献２】特開平８−２１２３２０号公報
【特許文献３】特開２００１−３２６８６２号公報
【発明の開示】
【発明が解決しようとする課題】
【０００３】
しかしながら、背景技術で述べたもののうち最初のものにおいては、各チャンネルのマルチチャンネル入力データをマトリックス処理して、マルチチャンネル入力データの出力スピーカポジションへの振り分け、レベル調整、ダウンミックス処理、ダウンミックスを解く処理を行うことができたが、各チャンネルのマルチチャンネルデータを入力しなければならず、オーディオマルチチャンネルの設定を所望の初期値に設定したい場合、オーディオマルチチャンネルの設定を各チャンネル毎にそれぞれ変更しなければならないという上記問題点を解決するようにしたものではなかった。
また、次のものにおいては、光学的にマルチメディア情報をチャンネル毎に分離可能にコード化されたコードパターンを読み取って元のメディア情報を復元し、復元されたメディア情報に基づいて元のメディア情報を出力することができたが、コードパターンを光学的に読み込まなければならず、オーディオマルチチャンネルの設定を所望の初期値に設定したい場合、オーディオマルチチャンネルの設定を各チャンネル毎にそれぞれ変更しなければならないという上記問題点を解決するようにしたものではなかった。
また、更にその次のものにおいては、ザッピング時にユーザがチャンネルを選択して記憶し、２回目以降のザッピング時に記憶されたチャンネル中から所望のチャンネルを選択するようにして、一定時間経過したときにチャンネルの選択を初期化することができたが、オーディオマルチチャンネルの設定を所望の初期値に設定したい場合、オーディオマルチチャンネルの設定を各チャンネル毎にそれぞれ変更しなければならないという上記問題点を解決するようにしたものではなかった。
本発明は、背景技術の有するこのような問題点に鑑みてなされたものであり、その目的とするところは、オーディオマルチチャンネルの設定のみを所望の初期値に容易に設定することができる記録再生装置を提供しようとするものである。
【課題を解決するための手段】
【０００４】
上記目的を達成するため本発明においては、マルチメディア情報を記録媒体に記録再生し、オーディオマルチチャンネルの設定に基づいてマルチメディア情報のオーディオデータを出力する記録再生装置であって、オーディオマルチチャンネルの初期化を指令する指令手段と、オーディオマルチチャンネルの初期化選択画面を表示する表示手段と、前記表示手段により表示されたオーディオマルチチャンネルの初期化選択画面の初期値を選択する選択手段と、オーディオマルチチャンネルの設定を前記選択手段により選択された初期値に設定する設定手段とを備え、オーディオマルチチャンネルの初期化が指令されたとき、オーディオマルチチャンネルの初期化選択画面を表示し、表示されたオーディオマルチチャンネルの初期化選択画面の初期値が選択されたとき、オーディオマルチチャンネルの設定を選択された初期値に設定するようにする。
前記設定手段は、前記選択手段により前記オーディオマルチチャンネルの初期化選択画面のシステム初期値が選択されたとき、オーディオマルチチャンネルの設定をシステム初期値に設定するようにするとよい。
また、前記設定手段は、前記選択手段により前記オーディオマルチチャンネルの初期化選択画面のユーザ初期値が選択されたとき、オーディオマルチチャンネルの設定をユーザ初期値に設定するようにするとよい。
前記指令手段は、リモコン装置の所定の操作キーを所定時間継続して押下することによりオーディオマルチチャンネルの初期化を指令するようにするとよい。
更に、前記表示手段により表示されたオーディオマルチチャンネルの初期化画面の表示時間を計時するタイマ手段を備え、オーディオマルチチャンネルの初期化選択画面の表示時間が所定時間経過したとき、オーディオマルチチャンネルの設定をシステム初期値に設定するようにする。
前記選択手段により前記オーディオマルチチャンネルの初期化選択画面のシステム初期値が選択されたとき、オーディオマルチチャンネルの設定をシステム初期値に設定するようにする。
また、前記選択手段により前記オーディオマルチチャンネルの初期化選択画面のユーザ初期値が選択されたとき、オーディオマルチチャンネルの設定をユーザ初期値に設定するようにする。
更に、前記表示手段により表示されたオーディオマルチチャンネルの初期化画面の表示時間を計時するタイマ手段を備え、オーディオマルチチャンネルの初期化選択画面の表示時間が所定時間経過したとき、オーディオマルチチャンネルの設定をシステム初期値に設定するようにする。
これらの手段により、オーディオマルチチャンネルの設定のみを所望の初期値に容易に設定することができる。
【発明の効果】
【０００５】
請求項１記載の発明に係る記録再生装置によれば、オーディオマルチチャンネルの初期化が指令されたとき、オーディオマルチチャンネルの初期化選択画面を表示し、オーディオマルチチャンネルの初期化選択画面の表示時間が所定時間経過するまでに、表示されたオーディオマルチチャンネルの初期化選択画面のシステム初期値又はユーザ初期値のいずれかが選択されたとき、オーディオマルチチャンネルの設定を選択されたシステム初期値又はユーザ初期値に設定し、オーディオマルチチャンネルの初期化選択画面の表示時間が所定時間経過したとき、オーディオマルチチャンネルの設定をシステム初期値に設定するようにしているので、オーディオマルチチャンネルの初期化選択画面のシステム初期値又はユーザ初期値の中の所望の初期値を選択することにより、オーディオマルチチャンネルの設定をシステム初期値又はユーザ初期値に設定することができ、オーディオマルチチャンネルの初期化を指令するだけで初期値を選択しなくても、オーディオマルチチャンネルの設定をシステム初期値に設定することができる。
請求項２記載の発明に係る記録再生装置によれば、オーディオマルチチャンネルの初期化が指令されたとき、オーディオマルチチャンネルの初期化選択画面を表示し、表示されたオーディオマルチチャンネルの初期化選択画面の初期値が選択されたとき、オーディオマルチチャンネルの設定を選択された初期値に設定するようにしているので、オーディオマルチチャンネルの初期化選択画面の所望の初期値を選択することにより、オーディオマルチチャンネルの設定を所望の初期値に設定することができる。
請求項３記載の発明に係る記録再生装置によれば、オーディオマルチチャンネルの初期化選択画面のシステム初期値が選択されたとき、オーディオマルチチャンネルの設定をシステム初期値に設定するようにしているので、オーディオマルチチャンネルの初期化画面のシステム初期値を選択することにより、オーディオマルチチャンネルの設定をシステム初期値に設定することができる。
請求項４記載の発明に係る記録再生装置によれば、オーディオマルチチャンネルの初期化選択画面のユーザ初期値が選択されたとき、オーディオマルチチャンネルの設定をユーザ初期値に設定するようにしているので、オーディオマルチチャンネルの初期化画面のユーザ初期値を選択することにより、オーディオマルチチャンネルの設定をユーザ初期値に設定することができる。
請求項５記載の発明に係る記録再生装置によれば、リモコン装置の所定の操作キーを所定時間継続して押下することによりオーディオマルチチャンネルの初期化を指令するようにしているので、不用意にリモコン装置の所定の操作キーが押下されても、所定時間継続して押下されない限り、オーディオマルチチャンネルの初期化が指令されないようにすることができる。
請求項６記載の発明に係る記録再生装置によれば、オーディオマルチチャンネルの初期化選択画面の表示時間が所定時間経過したとき、オーディオマルチチャンネルの設定をシステム初期値に設定するようにしているので、オーディオマルチチャンネルの初期化を指令するだけで初期値を選択しなくても、オーディオマルチチャンネルの設定をシステム初期値に設定することができる。
【発明を実施するための最良の形態】
【０００６】
以下、適宜図面を参照しながら本発明を実施するための最良の形態を詳述する。図１は本発明の一実施例の記録再生装置の構成を示すブロック図であり、図２は本発明の一実施例の記録再生装置のリモコン装置を示す図であり、図３は本発明の一実施例のオーディオマルチチャンネルの初期化選択画面の表示例を示す図であり、図４は本発明の一実施例の記録再生装置の動作を示すフローチャートである。
まず、図１の本発明の一実施例の記録再生装置の構成を示すブロック図を基に説明する。
記録再生装置１は、マルチメディア情報を記録媒体に記録再生する記録再生部２と、アナログ出力チャンネル数、接続スピーカ、バランス、ディレータイム、距離等のオーディオマルチチャンネルの設定に基づいて、記録再生部２により再生されたマルチメディア情報のオーディオデータの出力をコントロールするコントロール回路３と、コントロール回路３によりコントロールされたマルチメディア情報のオーディオデータを増幅してスピーカ３０を駆動する出力回路４と、文字情報信号をビデオ信号に重畳して、文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路５と、記録再生装置１のシステム全体を制御するマイコン６と、マイコン６が実行する制御プログラムと記憶再生装置１のマルチオーディオのシステム初期値とを記憶するＲＯＭ（Ｒｅａｄ  Ｏｎｌｙ  Ｍｅｍｏｒｙ）７と、マイコン６が演算データ等を一時的に記憶するＲＡＭ（Ｒａｎｄｏｍ  Ａｃｃｅｓｓ  Ｍｅｍｏｒｙ）８と、記録再生装置１のマルチオーディオのユーザ初期値、マルチオーディオの設定等を記憶する不揮発性メモリのＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）９と、経過時間を計時するタイマ回路１０と、リモコン装置２０から送信された赤外線信号のリモコン信号を受信して、所定の電気信号に変換するリモコン受信部１１とで構成されている。
また、記録再生装置１のリモコン装置２０には、図２に示すように、各種モードを設定するメニュ画面の表示を指令するメニュキー２０ａ、メニュ画面に表示された選択項目を選択するカーソルキー２０ｂ、カーソルキー２０ｂにより選択された選択項目の選択を決定する決定キー２０ｃ等の複数の操作キーが設けられていて、それらの操作キーを操作することにより記録再生装置１を所望動作させることができるようになっている。
以上のように構成された記録再生装置について、以下その動作について説明する。
リモコン装置２０の操作キーが操作されると、操作された操作キーのリモコン信号が赤外線信号のリモコン信号としてリモコン装置２０から送信され、リモコン受信部１１により受信され、受信された赤外線信号のリモコン信号が所定の電気信号に変換されてマイコン６に送出される。リモコン装置２０のメニュキー２０ａのリモコン信号を受信すると、マイコン６は、タイマ回路１０に制御信号を送出して、タイマ回路１０のタイマをスタートさせ、リモコン装置２０のメニュキー２０ａの押下時間を計時して、リモコン装置２０のメニュキー２０ａが所定時間、例えば、２〜３秒間継続して押下されたか否かを判別する。リモコン装置２０のメニュキー２０ａが所定時間継続して押下された場合、マイコン６は、文字情報信号と制御信号とをＯＳＤ回路５に送出して、モニタ装置４０の画面４０ａにオーディオマルチチャンネルの初期化選択画面を表示し（図３参照）、タイマ回路１０に制御信号を送出して、タイマ回路１０のタイマをスタートさせ、モニタ装置４０の画面４０ａに表示されたオーディオマルチチャンネルの初期化選択画面の表示時間を計時する。
モニタ装置４０の画面４０ａに表示されたオーディオマルチチャンネルの初期化選択画面（図３参照）の表示時間が所定時間、例えば、５〜１０秒経過した場合、マイコン６は、マルチチャンネルオーディオの設定をオーディオマルチチャンネルの設定をＲＯＭ７に記憶されているデフォルトのシステム初期値に設定して、その設定値をＥＥＰＲＯＭ９に記憶する。システム初期値は、記録再生装置１の出荷時に予め設定されたオーディオマルチチャンネルの設定の初期値である。このことにより、オーディオマルチチャンネルの設定のみをシステム初期値に初期化したい場合、リモコン装置２０のメニュキー２０ａを所定時間押下するだけで初期値を選択しなくても、オーディオマルチチャンネルの設定のみを容易にシステム初期値に設定することができる。
また、モニタ装置４０の画面４０ａに表示されたオーディオマルチチャンネルの初期化選択画面（図３参照）の表示時間が所定時間経過するまでに、リモコン装置２０のカーソルキー２０ｂと決定キー２０ｃとの操作によりオーディオマルチチャンネルの初期化選択画面（図３参照）に表示されたシステム初期値又はユーザ初期値のいずれかが選択された場合、マイコン６は、マルチチャンネルオーディオの設定をその選択されたシステム初期値又はユーザ初期値に設定して、その設定値をＥＥＰＲＯＭ９に記憶する。ユーザ初期値が選択された場合、オーディオマルチチャンネルの設定が、ＥＥＰＲＯＭ９に記憶されているユーザ初期値に設定され、その設定値がＥＥＰＲＯＭ９に記憶される。ユーザ初期値は、メニュ画面の記録再生装置１の初期設定において（図示せず）、ユーザが好みに合わせてシステム初期値を部分的に又は全面的に変更したオーディオマルチチャンネルの設定の初期値である。また、システム初期値が選択された場合は、上記同様、オーディオマルチチャンネルの設定が、ＲＯＭ７に記憶されているシステム初期値に設定され、その設定値がＥＥＰＲＯＭ９に記憶される。このことにより、ユーザがオーディオマルチチャンネルの設定のみを所望の初期値に初期化したい場合、リモコン装置２０のメニュキー２０ａを所定時間押下し、リモコン装置２０のカーソルキー２０ｂと決定キー２０ｃとを操作して所望の設定値を選択することにより、オーディオマルチチャンネルの設定のみを容易に所望の初期値に設定することができる。
また、モニタ装置４０の画面４０ａに表示されたオーディオマルチチャンネルの初期化選択画面の表示時間が所定時間経過するまでに、リモコン装置２０のカーソルキー２０ｂと決定キー２０ｃとの操作して、オーディオマルチチャンネルの設定の取消を選択することにより、オーディオマルチチャンネルの初期化を解除することができるようになっている。
また、図４の本発明の一実施例の記録再生装置の動作を示すフローチャートを基に説明する。
リモコン装置のメニュキーが押下されると、ステップＳ１からステップＳ２に進み、ステップＳ２で、リモコン装置のメニュキーの押下時間を計時するタイマがスタートされ、ステップＳ３に進む。
ステップＳ３で、リモコン装置のメニュキーが継続して押下されているか否かが判断され、リモコン装置のメニュキーが継続して押下されている場合、ステップＳ４に進み、リモコン装置のメニュキーが継続して押下されていない場合、ステップＳ１１に進んで処理を終了する。
ステップＳ４で、リモコン装置のメニュキーの押下時間が所定時間経過したか否かが判断され、リモコン装置のメニュキーの押下時間が所定時間経過した場合、ステップＳ５に進み、リモコン装置のメニュキーの押下時間が所定時間経過していない場合、ステップＳ３に戻って、ステップＳ３からのステップを繰り返す。
ステップＳ５で、オーディオマルチチャンネルの初期化選択画面がモニタ装置の画面に表示され、オーディオマルチチャンネルの初期化選択画面の表示時間を計時するタイマがスタートされて、ステップＳ６に進む。
ステップＳ６で、リモコン装置のカーソルキーと決定キーとの操作によりオーディオマルチチャンネルの初期化選択画面の取消が選択されたか否かが判断され、オーディオマルチチャンネルの初期化選択画面の取消が選択された場合、ステップＳ１１に進んで処理を終了し、オーディオマルチチャンネルの初期化選択画面の取消が選択されていない場合、ステップＳ７に進む。
ステップＳ７で、モニタ装置の画面にオーディオマルチチャンネルの初期化選択画面の表示時間が所定時間経過したか否かが判断され、オーディオマルチチャンネルの初期化選択画面の表示時間が所定時間経過した場合、ステップＳ１０に進み、オーディオマルチチャンネルの初期化選択画面の表示時間が所定時間経過していない場合、ステップＳ８に進む。
ステップＳ８で、リモコン装置のカーソルキーと決定キーとの操作によりオーディオマルチチャンネルの初期化選択画面に表示されたシステム初期値又はユーザ初期値のいずれかが選択されたか否かが判断され、システム初期値又はユーザ初期値のいずれかが選択された場合、ステップＳ９に進み、システム初期値又はユーザ初期値のいずれもが選択されていない場合、ステップＳ６に戻って、ステップＳ６からのステップを繰り返す。
ステップＳ９で、オーディオマルチチャンネルの設定が選択された初期値に設定されて、その設定値がメモリに記憶され、ステップＳ１１に進んで処理を終了する。
ステップＳ１０で、オーディオマルチチャンネルの設定がシステム初期値に設定されて、その設定値がメモリに記憶され、ステップＳ１１に進んで処理を終了する。
以上、本発明を実施するための最良の形態について詳述したが、本発明はこれに限らず、当業者の通常の知識の範囲内でその変形や改良が可能である。例えば、リモコン装置に設けられた操作キーを操作して、オーディオマルチチャンネルの設定のみを所望の初期値に設定することを説明したが、リモコン装置に設けられた操作キーを記録再生装置の操作パネルにも設け、操作パネルに設けられた操作キーを操作して、オーディオマルチチャンネルの設定のみを所望の初期値に設定するようにしてもよい。
【図面の簡単な説明】
【０００７】
【図１】本発明の一実施例の記録再生装置の構成を示すブロック図である。
【図２】本発明の一実施例の記録再生装置のリモコン装置を示す図である。
【図３】本発明の一実施例のオーディオマルチチャンネルの初期化選択画面の表示例を示す図である。
【図４】本発明の一実施例の記録再生装置の動作を示すフローチャートである。
【符号の説明】
【０００８】
１  記録再生装置
２  記録再生部
３  コントロール回路
４  出力回路
５  ＯＳＤ回路
６  マイコン
７  ＲＯＭ
８  ＲＡＭ
９  ＥＥＰＲＯＭ
１０  タイマ回路
１１  リモコン受信部
２０  リモコン装置
２０ａ  メニュキー
２０ｂ  カーソルキー
２０ｃ  決定キー
３０  スピーカ
４０  モニタ装置
４０ａ  画面
【図１】
2006025320.tif 000003
【図２】
2006025320.tif 000004
【図３】
2006025320.tif 000005
【図４】
2006025320.tif 000006